(57)【特許請求の範囲】
【請求項１】
所定の位置に固定されたケース（１）と、
前記ケースに内蔵された第１温度センサー（２）と、
前記所定の位置の周辺とは異なる位置の温度を検出する第２温度センサー（５）を、着脱可能に接続するコネクタ（３）と、
前記第２温度センサーが接続されていないときに、前記第１温度センサーが検出した温度を採用し、前記第２温度センサーが接続されているときに、前記第２温度センサーが検出した温度を採用し、空調制御に用いる制御部（４）と
を備え、
前記第２温度センサーは、センサー部と、前記コネクタと前記センサー部とを接続するコードとを備える、空気調和機用リモートコントローラ（１００）。
【請求項２】
所定の位置に固定されたケース（１）と、
前記ケースに内蔵される第１温度センサー（２）と、前記所定の位置の周辺とは異なる位置の温度を検出する第２温度センサー（５）とを着脱可能に選択的に接続するコネクタ（３）と、
前記第１温度センサー及び前記第２温度センサーのうち、前記コネクタに接続された温度センサーが検出した温度を採用し、空調制御に用いる制御部（４）と
を備え、
前記第２温度センサーは、センサー部と、前記コネクタと前記センサー部とを接続するコードとを備える、空気調和機用リモートコントローラ（１００）。
【発明の詳細な説明】
【技術分野】
【０００１】
本発明は、空気調和機用リモートコントローラに関し、特に室内温度の検出精度を向上し、以って快適な空調運転に資する技術に関する。
【背景技術】
【０００２】
空気調和機においては、温度センサーの出力値に基づいて空気調和の運転を制御していた。温度センサーは例えばリモートコントローラに設けられている。しかしながら、当該リモートコントローラが設置される場所によっては、空気の対流が乏しく、実際に人が感じている温度とはかけ離れている場合があった。
【０００３】
上記のような問題を解決するための技術として特許文献１が開示されている。特許文献１には、リモートコントローラに設けられた温度センサーからの出力値（検出した温度）に室内温度変化に応じて補正を加えて、補正後の出力値に基づいて空気調和機の運転を制御する技術が記載されている。
【０００４】
【特許文献１】特開２００１−２０８３９０号公報
【発明の開示】
【発明が解決しようとする課題】
【０００５】
特許文献１に記載の技術においては、検出した室内温度に補正を加えて検出精度を向上しているが、なお精度向上の余地があった。
【０００６】
そこで、本発明は、室内温度の検出精度を向上できる空気調和機用リモートコントローラを提供することを目的とする。
【課題を解決するための手段】
【０００７】
本発明に係る空気調和機用リモートコントローラの第１の態様は、所定の位置に固定されたケース（１）と、前記ケースに内蔵された第１温度センサー（２）と、前記所定の位置の周辺とは異なる位置の温度を検出する第２温度センサー（５）を、着脱可能に接続するコネクタ（３）と、前記第２温度センサーが接続されていないときに、前記第１温度センサーが検出した温度を採用し、前記第２温度センサーが接続されているときに、前記第２温度センサーが検出した温度を採用し、空調制御に用いる制御部（４）とを備え、前記第２温度センサーは、センサー部と、前記コネクタと前記センサー部とを接続するコードとを備える。
【０００８】
本発明に係る空気調和機用リモートコントローラの第２の態様は、所定の位置に固定されたケース（１）と、前記ケースに内蔵される第１温度センサー（２）と、前記所定の位置の周辺とは異なる位置の温度を検出する第２温度センサー（５）とを着脱可能に選択的に接続するコネクタ（３）と、前記第１温度センサー及び前記第２温度センサーのうち、前記コネクタに接続された温度センサーが検出した温度を採用し、空調制御に用いる制御部（４）とを備え、前記第２温度センサーは、センサー部と、前記コネクタと前記センサー部とを接続するコードとを備える。
【発明の効果】
【０００９】
本発明に係る空気調和機用リモートコントローラの第１の態様によれば、所定の位置が例えば室内においてユーザが居る位置の周辺である場合、第１温度センサーが検出する温度と、ユーザが居る位置の周辺温度がほぼ一致する。よって、第２温度センサーをコネクタに接続することなく、適切な空調制御を行うことができる。他方、所定の位置が例えば窓際などである場合、第１温度センサーが検出する温度がユーザの居る位置の周辺温度と相違するところ、ユーザの居る位置の周辺に設置された第２温度センサーをコネクタに接続することで、適切な空調制御を行うことができる。
【００１０】
本発明に係る空気調和機用リモートコントローラの第２の態様によれば、所定の位置が例えば室内においてユーザが居る位置の周辺である場合、第１温度センサーが検出する温度と、ユーザが居る位置の周辺温度がほぼ一致する。よって、第１温度センサーをコネクタに接続することで、適切な空調制御を行うことができる。他方、所定の位置が例えば窓際などである場合、第１温度センサーが検出する温度がユーザの居る位置の周辺温度と相違するところ、ユーザの居る位置の周辺に設置された第２温度センサーをコネクタに接続することで、適切な空調制御を行うことができる。
【発明を実施するための最良の形態】
【００１１】
第１の実施の形態．
図１は、本発明に係る第１の実施の形態の空気調和機用リモートコントローラ１００（以下、リモコン１００とも呼ぶ）の外観の一例を示す概念的な図であり、図２は、図１に示すリモコン１００の内部に設けられるプリント基板の一例を示す概念的な構成図である。
【００１２】
図１，２を参照して、リモコン１００は、ケース１と、内蔵温度センサー２と、コネクタ３と、制御部４と、通信部６とを備えている。
【００１３】
ケース１は、内蔵温度センサー２と、コネクタ３と、制御部４と、通信部６とを収納している。ケース１は所定の位置、例えば空気調和の対象となる室内の壁面や柱などに固定される。
【００１４】
またケース１には、通風孔１１と、引き出し部１２とが設けられている。通風孔１１は、自身を経由してケース１の内外の空気の移動を実現する。引き出し部１２は例えばケース１に比べて十分に薄い樹脂等で構成されている。そして、引き出し部１２の樹脂を割ることで形成される開口部を介して、後述する外付け温度センサー５をリモコン１００に取り付けることができる。
【００１５】
なお、ケース１には室内温度等を表示する表示部やユーザが操作を行う操作部等（図１参照）が、プリント基板には操作部の操作を認識するスイッチ群（図２参照）が、それぞれ設けられているが、発明の本質とは異なるため詳細な説明を省略する。
【００１６】
内蔵温度センサー２は通風孔１１に近接した位置に配置されて、プリント基板上の制御部４と接続されている。ケース１内の温度は、制御部４の動作熱によってケース１外の周辺温度より高くなり得るところ、内蔵温度センサー２は通風孔１１に近接した位置に配置されているのでより当該周辺温度に近い温度を検出できる。
【００１７】
外付け温度センサー５は、リモコン１００（ケース１）が固定された位置とは異なる位置の周辺温度を検出する。より具体的には、外付け温度センサー５は例えばコード５１とセンサー部５２とを有している。センサー部５２はコード５１の一端に設けられており、センサー部５２の周辺温度を検出する。後述するようにセンサー部５２はコード５１を介してリモコン１００に接続することができる。コード５１は十分な長さを有しており、外付け温度センサー５は、リモコン１００（ケース１）が固定された位置とは異なる位置の周辺温度を検出することができる。
【００１８】
コネクタ３はプリント基板上に設けられて制御部４と接続されており、外付け温度センサー５（より具体的にはコード５１の他端）を着脱可能に接続することができる。
【００１９】
通信部６は有線又は無線により図示せぬ室内機又は／及び室外機と通信することができる。
【００２０】
制御部４は、外付け温度センサー５がコネクタ３に接続されていないときに、内蔵温度センサー２が検出した温度を採用し、空調制御に用いる。外付け温度センサー５がコネクタ３に接続されているときには、外付け温度センサー５が検出した温度を採用し、空調制御に用いる。
【００２１】
より具体的な一例として、例えばコネクタ３から入力される値が所定の範囲にあるときに制御部４は外付け温度センサー５が接続されていると判断し、例えばコネクタ３を流れる電流が所定値以下であれば制御部４は外付け温度センサー５が接続されていないと判断する。
【００２２】
そして制御部４は通信部６を介して図示しない空気調和機の機体（室内機又は室外機）へと採用した温度を送信し、当該機体において、受信した温度に基づいた空気調和の制御が実行される。この内容は、制御部４は採用した温度を空調制御に用いると把握できる。
【００２３】
図３は、リモコン１００を備える空気調和機の一例の概念的な構成を示している。
【００２４】
リモコン１００は室内３００の例えば所定の柱３０１に固定されている。室内機２００は例えば室内３００の天井に設置されている。リモコン１００と室内機２００とは例えば配線１１０を介して接続されている。そして、室内機２００はリモコン１００から送信される温度を受信して、当該温度に基づいて空気調和の運転を制御する。
【００２５】
図３において、柱３０１は窓際に設けられているので、例えば日光の影響により柱３０１の周辺温度は、窓と離れた位置（人が主に居る位置）の周辺温度と異なっている。このような環境の場合、内蔵温度センサー２が検出する温度は人が主に居る位置の周辺温度と離れた温度を検出する可能性があり、最適な空調運転を実施できない。
【００２６】
そこで、外付け温度センサー５がリモコン１００に取り付けられる。外付け温度センサー５のセンサー部５２は窓と離れた位置の例えば壁面（より好ましくは人の居る位置の周辺）に設置されている。
【００２７】
制御部４は外付け温度センサー５がコネクタ３に接続されていると判断すると、内蔵温度センサー２が検出した温度に代えて、外付け温度センサー５が検出した温度を採用し、これを室内機２００に送信する。よって、室内温度（人が居る位置の周辺温度）を精度良く検出することができ、以ってより適切な空気調和の運転を実現することができる。
【００２８】
また、リモコン１００が窓際から離れた位置（例えば人が主に居る位置の周辺）に設置されている場合は、外付け温度センサー５がコネクタ３に接続されない。この場合、制御部４は内蔵温度センサー２が検出した温度を採用し、これを室内機２００に送信する。内蔵温度センサー２は人が主に居る周辺に位置しているので、室内温度を精度良く検出でき、以ってより適切な空気調和の運転を実現することができる。
【００２９】
以上のように、本リモコン１００によれば、たとえ検出すべき室内温度と異なる温度である場所に、リモコン１００が配置されていたとしても、外付け温度センサー５を取り付けることで人が主に居る周辺の温度を検出できる。よって、リモコン１００の設置場所に拘わらず、室内温度の検出精度を向上でき、以って適切な空気調和の運転に資することができる。
【００３０】
第２の実施の形態．
第２の実施の形態に係る空気調和機用リモートコントローラ１００の外観は第１の実施の形態（図１）と同一である。図４は第２の実施の形態に係る空気調和機用リモートコントローラ１００の内部の一例を示す概念的な構成図である。なお、同一符号は同一又は相当部分を示し、重畳する説明は省略する。
【００３１】
コネクタ３は内蔵温度センサー２と外付け温度センサー５とを着脱可能に選択的に接続することができる。
【００３２】
制御部４は、内蔵温度センサー２および外付け温度センサー５のうち、コネクタ３に接続された温度センサーが検出した温度を採用し、空調制御に用いる。
【００３３】
このような構成のリモコン１００を有する空気調和機において、リモコン１００が例えば窓際に設置される場合（例えば図３に示す場合）、外付け温度センサー５をコネクタ３に接続する。よって、窓際から離れた位置（例えば人が主に居る位置の周辺）にセンサー部２２を取り付けることができ、以って適切な空調制御を行うことができる。
【００３４】
また、リモコン１００が窓際から離れた位置（例えば人が主に居る位置の周辺）に設置されている場合は、内蔵温度センサー２をコネクタ３に接続することで、適切な空調整を行うことができる。
【００３５】
従って、第１の実施の形態と同様に、リモコン１００の設置場所に拘わらず、室内温度の検出精度を向上でき、以って適切な空気調和の運転に資することができる。
【図面の簡単な説明】
【００３６】
【図１】空気調和機用リモートコントローラの外観の一例を示す概念的な図である。
【図２】第１の実施の形態に係る空気調和機用リモートコントローラの内部の一例を示す概念的な構成図である。
【図３】空気調和機用リモートコントローラを有する空気調和機の一例を示す概念的な図である。
【図４】第２の実施の形態に係る空気調和機用リモートコントローラの内部の一例を示す概念的な構成図である。
【符号の説明】
【００３７】
１  ケース
２  内蔵温度センサー
３  コネクタ
４  制御部
５  外付け温度センサー
【図１】
0005125372.tif 000002
【図２】
0005125372.tif 000003
【図３】
0005125372.tif 000004
【図４】
0005125372.tif 000005